(57)【要約】【課題】耐候性の高い搬送用パレットを提供する。【解決手段】紙質を有する板状部材を用いて作製され、被搬送物の搬送に用いられる搬送用パレットであって、板状部材を用いて形成された下面板２０と、板状部材を用いて形成され、所定の間隙３０を介して下面板２０に対向して配置され、被搬送物が載置される上面板１０と、上面板１０及び下面板２０の間に設けられ、上面板１０及び下面板２０の端辺に沿って直線状に延伸し、間隙３０を維持する脚部４０とを有し、脚部４０は、板状部材を複数積層して形成され、積層された板状部材のそれぞれが上面板１０及び下面板２０に対しほぼ垂直に配置されるように設けられており、上面板１０又は下面板２０の縁部は、脚部４０に巻き付けられて脚部４０に対し接着固定されるように構成する。【選択図】図２
2010047306.tif 000002
【特許請求の範囲】
【請求項１】
紙質を有する板状部材を用いて作製され、被搬送物の搬送に用いられる搬送用パレットであって、
前記板状部材を用いて形成された下面板（２０）と、
前記板状部材を用いて形成され、所定の間隙（３０）を介して前記下面板（２０）に対向して配置され、前記被搬送物が載置される上面板（１０）と、
前記上面板（１０）及び前記下面板（２０）の間に設けられ、前記上面板（１０）及び前記下面板（２０）の端辺に沿って直線状に延伸し、前記間隙（３０）を維持する脚部（４０）とを有し、
前記脚部（４０）は、前記板状部材を複数積層して形成され、積層された前記板状部材のそれぞれが前記上面板（１０）及び前記下面板（２０）に対しほぼ垂直に配置されるように設けられており、
前記上面板（１０）又は前記下面板（２０）の縁部は、前記脚部（４０）に巻き付けられて前記脚部（４０）に対し接着固定されていることを特徴とする搬送用パレット。
【請求項２】
紙質を有する板状部材を用いて作製され、被搬送物の搬送に用いられる搬送用パレットであって、
前記板状部材を用いて形成された下面板（２０）と、
前記板状部材を用いて形成され、所定の間隙（３０）を介して前記下面板（２０）に対向して配置され、前記被搬送物が載置される上面板（１０）と、
前記上面板（１０）及び前記下面板（２０）の間に設けられ、前記上面板（１０）及び前記下面板（２０）にほぼ平行な面内を直線状に延伸し、前記間隙（３０）を維持する脚部（４０）とを有し、
前記脚部（４０）は、前記板状部材を複数積層して形成され、積層された前記板状部材のそれぞれが前記上面板（１０）及び前記下面板（２０）に対しほぼ垂直に配置されるように設けられており、
前記脚部（４０）の側面（４０ｂ、４０ｄ）の少なくとも一部は、前記板状部材を用いて形成された補強板（７０）によって補強されていることを特徴とする搬送用パレット。
【請求項３】
前記補強板（７０）は角筒状に形成され、前記脚部（４０）の両端面（４０ｅ、４０ｆ）及び両側面（４０ｂ、４０ｄ）を囲んで接着固定されていることを特徴とする請求項２に記載の搬送用パレット。
【請求項４】
前記補強板（７１、７２）は断面コの字状に形成され、前記脚部（４０）の一方の端面（４０ｅ、４０ｆ）と前記脚部（４０）の両側面（４０ｂ、４０ｄ）とに跨って接着固定されていることを特徴とする請求項２に記載の搬送用パレット。
【請求項５】
前記補強板（７３）は断面コの字状に形成され、前記脚部（４０）の上面（４０ａ）又は下面（４０ｃ）と前記脚部（４０）の両側面（４０ｂ、４０ｄ）とに跨って接着固定されていることを特徴とする請求項２に記載の搬送用パレット。
【請求項６】
前記板状部材は、一方向に延伸する波目を備えた段ボールであり、
前記補強板（７４）は、波目方向がほぼ鉛直になるように、前記脚部（４０）の側面（４０ｄ）に接着固定されていることを特徴とする請求項２に記載の搬送用パレット。
【請求項７】
前記補強板（７５）の少なくとも一方の縁部（７５ａ、７５ｂ）は、前記脚部（４０）とは逆側に折り曲げられて前記上面板（１０）又は前記下面板（２０）に接着固定されていることを特徴とする請求項６に記載の搬送用パレット。
【発明の詳細な説明】
【技術分野】
【０００１】
本発明は、紙質を有する板状部材を用いて作製され、被搬送物の搬送に用いられる搬送用パレットに関する。
【背景技術】
【０００２】
特許文献１には、従来の段ボール製搬送用パレットが開示されている。この搬送用パレットは、被搬送物が載置される上面板と、所定の間隙を介して上面板に対向して配置された下面板と、上面板及び下面板間に配置された脚部とを有している。脚部は、段ボール板を複数積層して形成され、各段ボール板が縦方向に配置されるように取り付けられている。これにより、脚部は、上面板上に載置される被搬送物の荷重に対して高い強度が確保されている。
【特許文献１】特開２０００−３０２１２９号公報
【発明の開示】
【発明が解決しようとする課題】
【０００３】
段ボール板は、水濡れが生じると強度が低下する。このため、搬送用パレットが雨等により濡れてしまうと、被搬送物の荷重により脚部が座屈してしまい、搬送用パレットの形状を維持できなくなるという問題があった。
【０００４】
本発明の目的は、耐候性の高い搬送用パレットを提供することにある。
【課題を解決するための手段】
【０００５】
本発明は上記目的を達成するために、以下の技術的手段を採用する。
【０００６】
請求項１に記載の発明は、紙質を有する板状部材を用いて作製され、被搬送物の搬送に用いられる搬送用パレットであって、板状部材を用いて形成された下面板（２０）と、板状部材を用いて形成され、所定の間隙（３０）を介して下面板（２０）に対向して配置され、被搬送物が載置される上面板（１０）と、上面板（１０）及び下面板（２０）の間に設けられ、上面板（１０）及び下面板（２０）の端辺に沿って直線状に延伸し、間隙（３０）を維持する脚部（４０）とを有し、脚部（４０）は、板状部材を複数積層して形成され、積層された板状部材のそれぞれが上面板（１０）及び下面板（２０）に対しほぼ垂直に配置されるように設けられており、上面板（１０）又は下面板（２０）の縁部は、脚部（４０）に巻き付けられて脚部（４０）に対し接着固定されていることを特徴とする搬送用パレットである。
【０００７】
脚部（４０）が上面板（１０）又は下面板（２０）の縁部により巻き付けられていることによって、脚部（４０）の型崩れを生じ難くすることができる。このため、搬送用パレットが雨等により濡れてしまっても、脚部（４０）の座屈を抑制でき、搬送用パレットの形状を維持できる。したがって、搬送用パレットの耐候性を向上できる。
【０００８】
請求項２に記載の発明は、紙質を有する板状部材を用いて作製され、被搬送物の搬送に用いられる搬送用パレットであって、板状部材を用いて形成された下面板（２０）と、板状部材を用いて形成され、所定の間隙（３０）を介して下面板（２０）に対向して配置され、被搬送物が載置される上面板（１０）と、上面板（１０）及び下面板（２０）の間に設けられ、上面板（１０）及び下面板（２０）にほぼ平行な面内を直線状に延伸し、間隙（３０）を維持する脚部（４０）とを有し、脚部（４０）は、板状部材を複数積層して形成され、積層された板状部材のそれぞれが上面板（１０）及び下面板（２０）に対しほぼ垂直に配置されるように設けられており、脚部（４０）の側面（４０ｂ、４０ｄ）の少なくとも一部は、板状部材を用いて形成された補強板（７０）によって補強されていることを特徴とする搬送用パレットである。
【０００９】
脚部（４０）の側面（４０ｂ、４０ｄ）が補強板（７０）により補強されていることによって、脚部（４０）の型崩れを生じ難くすることができる。このため、搬送用パレットが雨等により濡れてしまっても、脚部（４０）の座屈を抑制でき、搬送用パレットの形状を維持できる。したがって、搬送用パレットの耐候性を向上できる。
【００１０】
請求項３に記載の発明は、補強板（７０）は角筒状に形成され、脚部（４０）の両端面（４０ｅ、４０ｆ）及び両側面（４０ｂ、４０ｄ）を囲んで接着固定されていることを特徴としている。これにより、脚部（４０）の型崩れを生じ難くすることができるため、脚部（４０）の座屈を抑制できる。
【００１１】
請求項４に記載の発明は、補強板（７１、７２）は断面コの字状に形成され、脚部（４０）の一方の端面（４０ｅ、４０ｆ）と脚部（４０）の両側面（４０ｂ、４０ｄ）とに跨って接着固定されていることを特徴としている。これにより、端面近傍における脚部（４０）の型崩れを生じ難くすることができるため、脚部（４０）の座屈を抑制できる。
【００１２】
請求項５に記載の発明は、補強板（７３）は断面コの字状に形成され、脚部（４０）の上面（４０ａ）又は下面（４０ｃ）と脚部（４０）の両側面（４０ｂ、４０ｄ）とに跨って接着固定されていることを特徴としている。これにより、脚部（４０）の型崩れを生じ難くすることができるため、脚部（４０）の座屈を抑制できる。
【００１３】
請求項６に記載の発明は、板状部材は、一方向に延伸する波目を備えた段ボールであり、補強板（７４）は、波目方向が鉛直になるように、脚部（４０）の側面（４０ｄ）に接着固定されていることを特徴としている。これにより、被搬送物の荷重に対する脚部（４０）の強度を補強できるとともに、脚部（４０）の型崩れを生じ難くすることができる。
【００１４】
請求項７に記載の発明は、補強板（７５）の少なくとも一方の縁部（７５ａ、７５ｂ）は、脚部（４０）とは逆側に折り曲げられて上面板（１０）又は下面板（２０）に接着固定されていることを特徴としている。これにより、補強板（７５）と上面板（１０）又は下面板（２０）との接着強度を向上できるため、脚部（４０）の型崩れをさらに生じ難くすることができる。
【００１５】
なお、上記各手段の括弧内の符号は、後述する実施形態記載の具体的手段との対応関係の一例を示している。
【発明を実施するための最良の形態】
【００１６】
（第１実施形態）
本発明の第１実施形態について図１乃至図３を用いて説明する。図１は、本実施形態における搬送用パレット１の全体構成を模式的に示す斜視図である。図１に示すように、搬送用パレット１は、概ね長方形平板状の形状を有している。搬送用パレット１は、所定の間隙３０を介して互いに対向して配置された段ボール製の上面板１０及び下面板２０を有している。被搬送物は、上面板１０上に載置され、樹脂製のバンド等により搬送用パレット１に対して固定される。
【００１７】
上面板１０と下面板２０との間には、搬送用パレット１の対向する２辺に沿ってそれぞれ直線状に延伸し、間隙３０を維持する角柱状の２本の脚部（桁部）４０が設けられている。間隙３０には、脚部４０の形成されていない辺に形成された開口部を介してフォークリフトの爪部を挿入できるようになっている。
【００１８】
図２は、図１のＩＩ部近傍の構成を示す図である。図２に示すように、脚部４０は、複数枚（図２では５枚）の段ボール板５０ａ〜５０ｅが積層されて形成されている。隣接する段ボール板５０ａ〜５０ｅ同士は、接着剤により互いに接着固定されている。段ボール板５０ａ〜５０ｅのそれぞれは、上面板１０及び下面板２０に対してほぼ垂直に配置されている。これにより脚部４０は、重力方向の強度が高められるため、被搬送物の荷重に対して高い強度が確保されるようになっている。脚部４０の上面４０ａは、接着剤により上面板１０に接着固定されている。
【００１９】
上面板１０は、脚部４０の配置された縁部に、脚部４０に巻き付けられるように形成された折曲げ面１１、１２、１３を有している。折曲げ面１１は、上面板１０の載置面に対し折曲げ部５１でほぼ直角に折り曲げられて形成されている。折曲げ面１１の内側（折曲げ側）は脚部４０の側面４０ｂに接着固定されており、外側は搬送用パレット１の側端面を構成している。折曲げ面１２は、折曲げ面１１に対し折曲げ部５２でほぼ直角に折り曲げられて形成されている。折曲げ面１２の内側は脚部４０の下面４０ｃに接着固定されており、外側は下面板２０に接着固定されている。折曲げ面１３は、折曲げ面１２に対し折曲げ部５３でほぼ直角に折り曲げられて形成されている。折曲げ面１３の内側は、脚部４０の側面４０ｄに接着固定されており、外側は間隙３０に面している。折曲げ面１３の先端１３ａは、脚部４０の上面４０ａと共に上面板１０に接着固定されている。
【００２０】
本例では、段ボール板５０の中芯の波目方向は脚部４０の長手方向とほぼ平行（図２では紙面に対してほぼ垂直）であるため、脚部４０の長手方向端面では、段ボール板５０ａ〜５０ｅの中芯の波状断面５４が露出している。一方、上面板１０（載置面）及び下面板２０の中芯の波目方向は図２中左右方向（水平方向）であり、折曲げ面１１、１３での波目方向は図２中上下方向（鉛直方向）であり、折曲げ面１２での波目方向は図２中左右方向である。いずれも図２の紙面に対しほぼ平行であり、段ボール板５０ａ〜５０ｅの波目方向にほぼ直交しているため、図２に示した端面では上面板１０及び下面板２０の中芯の波状断面は露出していない。
【００２１】
本実施形態では、脚部４０のうち延伸方向に平行な４つの側面（上面４０ａ、下面４０ｃ、側面４０ｂ、４０ｄ）は、上面板１０の縁部により巻き付けられて接着固定されている。このため、水濡れが生じても脚部４０の型崩れが生じ難いので、被搬送物の荷重による脚部４０の座屈を抑制できる。したがって、雨等により濡れてしまっても搬送用パレット１の形状を維持できるため、搬送用パレット１の耐候性を向上できる。
【００２２】
また本実施形態では、従来の搬送用パレットと比較して部品点数が増加しないため、搬送用パレットの製造コストの増加を抑制できる。
【００２３】
さらに本実施形態では、折曲げ面１１、１３での中芯の波目方向が鉛直方向になっている。段ボール板は波目方向において比較的高い強度を有しているため、本実施形態によれば、荷重に対する脚部４０の強度を補強する効果も得られる。
【００２４】
図３は、本実施形態の変形例による搬送用パレットの構成を示す図であり、図２に対応する部分を示している。図３に示すように、本変形例では、脚部４０が下面板２０の縁部により巻き付けられて接着固定されている。下面板２０は、脚部４０の配置された縁部に、３箇所の折曲げ部６１、６２、６３で折り曲げられて脚部４０を囲むように形成された折曲げ面２１、２２、２３を有している。本変形例によっても図２に示した構成と同様の効果が得られる。
【００２５】
（第２実施形態）
次に、本発明の第２実施形態について図４及び図５を用いて説明する。図４は、本実施形態における搬送用パレットの脚部４０の構成を示す上面図である。図４に示すように、脚部４０の両側面４０ｂ、４０ｄ及び延伸方向の両端面４０ｅ、４０ｆのいずれも全面は、四角筒状の段ボール製の補強板７０により囲まれて接着固定されている。補強板７０の波目方向は例えば鉛直上下方向（紙面に垂直な方向）であり、段ボール板５０ａ〜５０ｅの波目方向に対してほぼ直交している。図４では、補強板７０の波状断面の図示を省略している。
【００２６】
本実施形態では、補強板７０が脚部４０の側面４０ｂ、４０ｄと端面４０ｅ、４０ｆとを囲んで接着固定されているため、水濡れが生じても脚部４０の型崩れが生じ難く、被搬送物の荷重による脚部４０の座屈を抑制できる。したがって、搬送用パレットの耐候性を向上できる。
【００２７】
また本実施形態では、補強板７０の中芯の波目方向が鉛直方向であるため、荷重に対する脚部４０の強度を補強する効果も得られる。
【００２８】
図５は、本実施形態の変形例による搬送用パレットの脚部４０の構成を示す上面図である。図５に示すように、本変形例では、断面コの字状に折り曲げられた段ボール製の２つの補強板７１、７２が設けられている。補強板７１は、脚部４０の一方の端面４０ｅと端面４０ｅ近傍の両側面４０ｂ、４０ｄとに跨って接着固定されている。補強板７２は、脚部４０の他方の端面４０ｆと端面４０ｆ近傍の両側面４０ｂ、４０ｄとに跨って接着固定されている。補強板７１、７２の波目方向は例えば鉛直方向（紙面に垂直な方向）であり、段ボール板５０ａ〜５０ｅの波目方向に対してほぼ直交している。
【００２９】
本変形例では、図４に示した構成と比較して、搬送用パレットの角部近傍における脚部４０の座屈を効果的に抑制できる。
【００３０】
（第３実施形態）
次に、本発明の第３実施形態について図６を用いて説明する。図６は、本実施形態における搬送用パレットの構成を示す図であり、図２に対応する部分を示している。図６に示すように、脚部４０の上面４０ａ及び両側面４０ｂ、４０ｄは、断面コの字状に折り曲げられた段ボール製の補強板７３により囲まれ、接着剤により接着固定されている。補強板７３の波目方向は例えばいずれも紙面に平行な方向であり、段ボール板５０ａ〜５０ｅの波目方向に対してほぼ直交している。
【００３１】
本実施形態では、脚部４０の上面４０ａと両側面４０ｂ、４０ｄとが補強板７３により囲まれて接着固定されているため、水濡れが生じても脚部４０の型崩れが生じ難く、被搬送物の荷重による脚部４０の座屈を抑制できる。したがって、搬送用パレットの耐候性を向上できる。
【００３２】
（第４実施形態）
次に、本発明の第４実施形態について図７及び図８を用いて説明する。図７は、本実施形態における搬送用パレットの構成を示す図であり、図２に対応する部分を示している。図７に示すように、脚部４０の内側の側面４０ｄには、段ボール製の平板状の補強板７４が接着剤により接着固定されている。補強板７４の波目方向は鉛直方向（図中上下方向）であり、段ボール板５０ａ〜５０ｅの波目方向に対してほぼ直交している。補強板７４の鉛直上下方向の両端面７４ａ、７４ｂは、上面板１０及び下面板２０にそれぞれ接着固定されている。
【００３３】
本実施形態では、補強板７４の中芯の波目方向が鉛直方向であるため、荷重に対する脚部４０の強度を補強できるとともに、脚部４０の型崩れを防止する効果も得られる。このため、水濡れが生じても脚部４０の型崩れが生じ難く、被搬送物の荷重による脚部４０の座屈を抑制できる。したがって、搬送用パレットの耐候性を向上できる。
【００３４】
図８は、本実施形態の変形例における搬送用パレットの構成を示す図であり、図２に対応する部分を示している。図８に示すように、補強板７５の上面板１０側の縁部７５ａは、脚部４０とは逆側に直角に折り曲げられており、比較的広い接着面７５ｃを介して上面板１０に接着固定されている。補強板７５の下面板２０側の縁部７５ｂは、縁部７５ａと同様に脚部４０とは逆側に直角に折り曲げられており、比較的広い接着面７５ｄを介して下面板２０に接着固定されている。
【００３５】
本変形例では、図７に示した構成と比較して、補強板７５と上面板１０及び下面板２０との間の接着面積をそれぞれ増大させることができるため、補強板７５を上面板１０及び下面板２０に対して強固に固定できる。したがって、脚部４０の型崩れを防止する効果を高めることができる。
【００３６】
ここで、補強板７５は、縁部７５ａ、７５ｂの一方のみが折り曲げられ、上面板１０又は下面板２０のいずれか一方に対して強固に固定されるような構成を有していてもよい。
【００３７】
（その他の実施形態）
上記実施形態において、上面板１０の折曲げ面１１〜１３、下面板２０の折曲げ面２１〜２３、補強板７０〜７５又は脚部４０等に対し、撥水剤を塗布、浸漬してもよい。これにより、脚部４０の水濡れ及びそれによる強度低下を抑制できるため、搬送用パレット１の耐候性をさらに向上させることができる。
【００３８】
また上記実施形態では、脚部４０の各段ボール板５０ａ〜５０ｅの中芯の波目方向は水平方向であるが、各段ボール板５０ａ〜５０ｅの中芯の波目方向を鉛直方向としてもよい。さらに上記実施形態では、上面板１０の折曲げ面１１、１３、下面板２０の折曲げ面２１、２３、及び補強板７０〜７５の中芯の波目方向は鉛直方向であるが、これらの波目方向を水平方向としてもよい。
【００３９】
また上記実施形態では、段ボール製の搬送用パレットを例に挙げたが、紙質を有する他の板状部材製の搬送用パレットにも適用できる。一般に、紙質を有する板状部材は水濡れが生じると強度が低下し易いが、本発明を適用することにより搬送用パレットの耐候性を向上できる。
【００４０】
さらに上記実施形態では、上面板１０及び下面板２０の間に２本の脚部４０が設けられているが、３本以上の脚部が設けられていてもよい。
【図面の簡単な説明】
【００４１】
【図１】第１実施形態における搬送用パレットの全体構成を模式的に示す斜視図である。
【図２】図１のＩＩ部近傍の構成を示す図である。
【図３】第１実施形態の変形例における搬送用パレットの構成を示す図である。
【図４】第２実施形態における搬送用パレットの脚部の構成を示す上面図である。
【図５】第２実施形態の変形例における搬送用パレットの脚部の構成を示す上面図である。
【図６】第３実施形態における搬送用パレットの構成を示す図である。
【図７】第４実施形態における搬送用パレットの構成を示す図である。
【図８】第４実施形態の変形例における搬送用パレットの構成を示す図である。
【符号の説明】
【００４２】
１  搬送用パレット
１０  上面板
２０  下面板
３０  間隙
４０  脚部
７０、７１、７２、７３、７４、７５  補強板
【図１】
2010047306.tif 000003
【図２】
2010047306.tif 000004
【図３】
2010047306.tif 000005
【図４】
2010047306.tif 000006
【図５】
2010047306.tif 000007
【図６】
2010047306.tif 000008
【図７】
2010047306.tif 000009
【図８】
2010047306.tif 000010